【手続補正書】
【提出日】平成15年11月5日(2003.11.5)
【手続補正１】
【補正対象書類名】明細書
【補正対象項目名】特許請求の範囲
【補正方法】変更
【補正の内容】
【特許請求の範囲】
【請求項１】
表示面を有する表示手段と、
前記表示手段の表示面を複数の領域に分割する分割手段と、
前記表示手段の表示面を介して情報を入力する複数の入力手段と、
前記複数の入力手段を各々識別する識別手段と、
前記識別手段による識別結果に基づいて、前記表示手段の表示面の一領域を介して一の入力手段により入力された情報が有効であるか否かを判別する入力判別手段と、
前記入力判別手段により有効であると判別された場合に、当該入力された情報を、前記情報が入力された一領域に表示させる表示制御手段と
を備えることを特徴とする電子情報表示装置。
【請求項２】
前記領域と前記入力手段とを一対一対応させて記憶する記憶手段を備え、
前記入力判別手段は、前記情報を入力した入力手段が前記一領域に対応付けられている入力手段である場合に、その入力された情報が有効であると判別するように構成されることを特徴とする請求項１記載の電子情報表示装置。
【請求項３】
前記表示手段の表示面は、一の共通領域と、使用者の人数に応じた数の個人領域とに分割されることを特徴とする請求項１記載の電子情報表示装置。
【請求項４】
表示面を有する表示手段と、
前記表示手段の表示面を介して情報を入力する複数の入力手段と、
前記表示手段に配設され、使用する人の数を検出する人検出手段と、
前記人検出手段により検出された人の数に応じて、前記表示面を複数の領域に分割する分割手段と、
前記複数の入力手段を各々識別する識別手段と、
前記識別手段による識別結果に基づいて、前記分割された一領域を介して一の入力手段により入力された情報が有効であるか否かを判別する入力判別手段と、
前記入力判別手段により有効であると判別された場合に、当該入力された情報を、前記情報が入力された一領域に表示させる表示制御手段と
を備えることを特徴とする電子情報表示装置。
【請求項５】
前記分割手段は、前記表示手段の表示面を、一の共通領域と、使用者の人数に応じた数の個人領域とに分割するように構成されることを特徴とする請求項４記載の電子情報表示装置。
【請求項６】
前記人検出手段は使用する人の位置を更に検出し、
前記分割手段は、前記人検出手段により検出された人の位置に関する情報に基いて隣り合う人の位置間の距離を所定の割合で分割することにより得られる一点と、前記表示手段の中心点とを結ぶ直線を境界線として、前記個人領域を分割するように構成されることを特徴とする請求項５記載の電子情報表示装置。
【請求項７】
表示面を有する表示手段と、前記表示手段の表示面を介して情報を入力する複数の入力手段とを有する電子情報表示装置の表示制御方法において、
前記表示手段の表示面を複数の領域に分割し、
前記複数の入力手段を各々識別し、
前記識別の結果に基づいて、前記表示手段の表示面の一領域を介して一の入力手段により入力された情報が有効であるか否かを判別し、
前記有効であると判別された場合に、当該入力された情報を、前記情報が入力された一領域に表示させることを特徴とする表示制御方法。
【請求項８】
前記領域と前記入力手段とを一対一対応させて記憶し、
前記情報を入力した入力手段が前記一領域に対応付けられている入力手段である場合に、その入力された情報が有効であると判別することを特徴とする請求項７記載の表示制御方法。
【請求項９】
前記表示手段の表示面を、一の共通領域と、使用者の人数に応じた数の個人領域とに分割することを特徴とする請求項７記載の表示制御方法。
【請求項１０】
表示面を有する表示手段と、前記表示手段の表示面を介して情報を入力する複数の入力手段とを有する電子情報表示装置の表示制御方法において、
使用する人の数を検出し、
前記検出された人の数に応じて、前記表示面を複数の領域に分割し、
前記複数の入力手段を各々識別し、
前記識別手段による識別結果に基づいて、前記分割された一領域を介して一の入力手段により入力された情報が有効であるか否かを判別し、
有効であると判別した場合に、当該入力された情報を、前記情報が入力された一領域に表示することを特徴とする表示制御方法。
【請求項１１】
前記表示手段の表示面を、一の共通領域と、使用者の人数に応じた数の個人領域とに分割することを特徴とする請求項１０記載の表示制御方法。
【請求項１２】
前記使用する人の位置を検出し、
前記検出された人の位置に関する情報に基いて隣り合う人の位置間の距離を所定の割合で分割することにより得られる一点と、前記表示手段の中心点とを結ぶ直線を境界線として、前記個人領域を分割することを特徴とする請求項１１記載の表示制御方法。
【請求項１３】
表示面を有する表示手段と、前記表示手段の表示面を介して情報を入力する複数の入力手段とを有する電子情報表示装置のコンピュータにより読取可能な形式で前記電子情報表示装置の表示制御プログラムを記憶した記憶媒体において、前記表示制御プログラムは、前記表示手段の表示面を複数の領域に分割する工程と、前記複数の入力手段を各々識別する工程と、前記識別の結果に基づいて、前記表示手段の表示面の一領域を介して一の入力手段により入力された情報が有効であるか否かを判別する工程と、前記入力された情報が有効であると判別された場合に、当該入力された情報を、前記情報が入力された一領域に表示させる工程とを含むことを特徴とする記憶媒体。
【請求項１４】
前記表示制御プログラムは、前記領域と前記入力手段とを一対一対応させて記憶する工程を含み、
前記入力された情報が有効であるか否かを判別する工程においては、前記情報を入力した入力手段が前記一領域に対応付けられている入力手段である場合に、その入力された情報が有効であると判別することを特徴とする請求項１３記載の記憶媒体。
【請求項１５】
表示面を有する表示手段と、前記表示手段の表示面を介して情報を入力する複数の入力手段とを有する電子情報表示装置のコンピュータにより読取可能な形式で前記電子情報表示装置の表示制御プログラムを記憶する記憶媒体において、前記表示制御プログラムは、使用する人の数を検出する工程と、前記検出された人の数に応じて、前記表示面を複数の領域に分割する工程と、前記複数の入力手段を各々識別する工程と、前記識別結果に基づいて、前記分割された一領域を介して一の入力手段により入力された情報が有効であるか否かを判別する工程と、前記入力された情報が有効であると判別された場合に、当該入力された情報を、前記情報が入力された一領域に表示させる工程とを含むことを特徴とする記憶媒体。
【手続補正２】
【補正対象書類名】明細書
【補正対象項目名】０００１
【補正方法】変更
【補正の内容】
【０００１】
【発明の属する技術分野】
本発明は、電子情報表示装置及びその表示制御方法並びに記憶媒体に関し、特に、表示面を有する表示手段と、前記表示手段の表示面を介して情報を入力する複数の入力手段とを有する電子情報表示装置及びその表示制御方法並びに記憶媒体に関する。


【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項３の電子情報表示装置は、上記請求項１記載の電子情報表示装置において、前記表示手段の表示面は、一の共通領域と、使用者の人数に応じた数の個人領域とに分割されることを特徴とする。


【手続補正６】
【補正対象書類名】明細書
【補正対象項目名】００１１
【補正方法】変更
【補正の内容】
【００１１】
請求項４の電子情報表示装置は、表示面を有する表示手段と、前記表示手段の表示面を介して情報を入力する複数の入力手段と、前記表示手段に配設され、使用する人の数を検出する人検出手段と、前記人検出手段により検出された人の数に応じて、前記表示面を複数の領域に分割する分割手段と、前記複数の入力手段を各々識別する識別手段と、前記識別手段による識別結果に基づいて、前記分割された一領域を介して一の入力手段により入力された情報が有効であるか否かを判別する入力判別手段と、前記入力判別手段により有効であると判別された場合に、当該入力された情報を、前記情報が入力された一領域に表示させる表示制御手段とを備えることを特徴とする。


【手続補正７】
【補正対象書類名】明細書
【補正対象項目名】００１２
【補正方法】変更
【補正の内容】
【００１２】
請求項５の電子情報表示装置は、上記請求項４記載の電子情報表示装置において、前記分割手段は、前記表示手段の表示面を、一の共通領域と、使用者の人数に応じた数の個人領域とに分割するように構成されることを特徴とする。


【手続補正８】
【補正対象書類名】明細書
【補正対象項目名】００１３
【補正方法】変更
【補正の内容】
【００１３】
請求項６の電子情報表示装置は、上記請求項５記載の電子情報表示装置において、前記人検出手段は前記使用する人の位置を更に検出し、前記分割手段は、前記人検出手段により検出された人の位置に関する情報に基いて隣り合う人の位置間の距離を所定の割合で分割することにより得られる一点と、前記表示手段の中心点とを結ぶ直線を境界線として、前記個人領域を分割するように構成されることを特徴とする。


【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
請求項７の電子情報表示装置の表示制御方法は、表示面を有する表示手段と、前記表示手段の表示面を介して情報を入力する複数の入力手段とを有する電子情報表示装置の表示制御方法において、前記表示手段の表示面を複数の領域に分割し、前記複数の入力手段を各々識別し、前記識別の結果に基づいて、前記表示手段の表示面の一領域を介して一の入力手段により入力された情報が有効であるか否かを判別し、前記有効であると判別された場合に、当該入力された情報を、前記情報が入力された一領域に表示させることを特徴とする。


【手続補正１１】
【補正対象書類名】明細書
【補正対象項目名】００１６
【補正方法】変更
【補正の内容】
【００１６】
請求項８の電子情報表示装置の表示制御方法は、上記請求項７記載の電子情報表示装置の表示制御方法において、前記領域と前記入力手段とを一対一対応させて記憶し、前記情報を入力した入力手段が前記一領域に対応付けられている入力手段である場合に、その入力された情報が有効であると判別することを特徴とする。


【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
請求項９の電子情報表示装置の表示制御方法は、上記請求項７記載の電子情報表示装置の表示制御方法において、前記表示手段の表示面を、一の共通領域と、使用者の人数に応じた数の個人領域とに分割することを特徴とする。


【手続補正１５】
【補正対象書類名】明細書
【補正対象項目名】００２０
【補正方法】変更
【補正の内容】
【００２０】
請求項１０の電子情報表示装置の表示制御方法は、表示面を有する表示手段と、前記表示手段の表示面を介して情報を入力する複数の入力手段とを有する電子情報表示装置の表示制御方法において、使用する人の数を検出し、前記検出された人の数に応じて、前記表示面を複数の領域に分割し、前記複数の入力手段を各々識別し、前記識別手段による識別結果に基づいて、前記分割された一領域を介して一の入力手段により入力された情報が有効であるか否かを判別し、有効であると判別した場合に、当該入力された情報を、前記情報が入力された一領域に表示することを特徴とする。


【手続補正１６】
【補正対象書類名】明細書
【補正対象項目名】００２１
【補正方法】変更
【補正の内容】
【００２１】
請求項１１の電子情報表示装置の表示制御方法は、上記請求項１０記載の電子情報表示装置の表示制御方法において、前記表示手段の表示面を、一の共通領域と、使用者の人数に応じた数の個人領域とに分割することを特徴とする。


【手続補正１７】
【補正対象書類名】明細書
【補正対象項目名】００２２
【補正方法】変更
【補正の内容】
【００２２】
請求項１２の電子情報表示装置の表示制御方法は、上記請求項１１記載の電子情報表示装置の表示制御方法において、前記使用する人の位置を検出し、前記検出された人の位置に関する情報に基いて隣り合う人の位置間の距離を所定の割合で分割することにより得られる一点と、前記表示手段の中心点とを結ぶ直線を境界線として、前記個人領域を分割することを特徴とする。


【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】変更
【補正の内容】
【００２４】
請求項１３の記憶媒体は、表示面を有する表示手段と、前記表示手段の表示面を介して情報を入力する複数の入力手段とを有する電子情報表示装置のコンピュータにより読取可能な形式で前記電子情報表示装置の表示制御プログラムを記憶した記憶媒体において、前記表示制御プログラムは、前記表示手段の表示面を複数の領域に分割する工程と、前記複数の入力手段を各々識別する工程と、前記識別の結果に基づいて、前記表示手段の表示面の一領域を介して一の入力手段により入力された情報が有効であるか否かを判別する工程と、前記入力された情報が有効であると判別された場合に、当該入力された情報を、前記情報が入力された一領域に表示させる工程とを含むことを特徴とする。


【手続補正２０】
【補正対象書類名】明細書
【補正対象項目名】００２５
【補正方法】変更
【補正の内容】
【００２５】
請求項１４の記憶媒体は、上記請求項１３記載の記憶媒体において、前記表示制御プログラムは、前記領域と前記入力手段とを一対一対応させて記憶する工程を含み、前記入力された情報が有効であるか否かを判別する工程においては、前記情報を入力した入力手段が前記一領域に対応付けられている入力手段である場合に、その入力された情報が有効であると判別することを特徴とする。


【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】変更
【補正の内容】
【００２７】
請求項１５の記憶媒体は、表示面を有する表示手段と、前記表示手段の表示面を介して情報を入力する複数の入力手段とを有する電子情報表示装置のコンピュータにより読取可能な形式で前記電子情報表示装置の表示制御プログラムを記憶する記憶媒体において、前記表示制御プログラムは、使用する人の数を検出する工程と、前記検出された人の数に応じて、前記表示面を複数の領域に分割する工程と、前記複数の入力手段を各々識別する工程と、前記識別結果に基づいて、前記分割された一領域を介して一の入力手段により入力された情報が有効であるか否かを判別する工程と、前記入力された情報が有効であると判別された場合に、当該入力された情報を、前記情報が入力された一領域に表示させる工程とを含むことを特徴とする。


【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００８８
【補正方法】変更
【補正の内容】
【００８８】
【発明の効果】
以上説明したように、請求項１の電子情報表示装置または請求項７の電子情報表示装置の表示制御方法によれば、表示手段の表示面を複数の領域に分割し、複数の入力手段を各々識別し、前記識別の結果に基づいて、前記表示手段の表示面の一領域を介して一の入力手段により入力された情報が有効であるか否かを判別し、前記有効であると判別された場合に、当該入力された情報を、前記情報が入力された一領域に表示させるようにしたので、有効と判別された情報のみが表示されることになり、したがって、他者による操作を受け付けない電子情報表示装置を実現することができるという効果が得られる。


【手続補正２７】
【補正対象書類名】明細書
【補正対象項目名】００８９
【補正方法】変更
【補正の内容】
【００８９】
請求項２の電子情報表示装置または請求項８の電子情報表示装置の表示制御方法によれば、前記領域と前記入力手段とを一対一対応させて記憶し、前記情報を入力した入力手段が前記一領域に対応付けられている入力手段である場合に、その入力された情報が有効であると判別するようにしたので、対応付けられていない入力手段を用いた他者による入力は無効とされ、したがって、他者による操作を受け付けない電子情報表示装置を実現することができるという効果が得られる。


【手続補正２８】
【補正対象書類名】明細書
【補正対象項目名】００９０
【補正方法】削除
【補正の内容】
【手続補正２９】
【補正対象書類名】明細書
【補正対象項目名】００９１
【補正方法】変更
【補正の内容】
【００９１】
請求項４の電子情報表示装置または請求項１０の電子情報表示装置の表示制御方法によれば、使用する人の数を検出し、前記検出された人の数に応じて、前記表示面を複数の領域に分割し、前記複数の入力手段を各々識別し、前記識別手段による識別結果に基づいて、前記分割された一領域を介して一の入力手段により入力された情報が有効であるか否かを判別し、有効であると判別した場合に、当該入力された情報を、前記情報が入力された一領域に表示するようにしたので、会議出席者の座席位置に応じて、その会議出席者以外の他者による操作を受け付けない領域を適切に自動で分割することができ、また、会議出席者の人数が会議中に増減した場合であっても領域の再分割を容易に行うことができるという効果が得られる。


【手続補正３０】
【補正対象書類名】明細書
【補正対象項目名】００９２
【補正方法】削除
【補正の内容】